(57)【要約】【課題】簡単な構成の多機能押しボタンスイッチを提供する。【解決手段】車両のハンドルのための多機能押しボタンスイッチは共用の作動表面内で互いに近接して位置する押しボタン表面を備えた複数の押しボタン切り換えユニットを有する。スイッチは共用のスイッチハウジングを有し、このスイッチハウジングの中で、押しボタン切り換えユニットの作動タペットが移動案内される。キャップ１０は二成分射出成形技術により作られ、くぼみ付き窓を備えた比較的剛直なプラスチックフレームを有し、各窓の形状及び寸法は押しボタン表面のうちの１つの周辺部に対応する。キャップはまたくぼみ付き窓の上を延びるシリコーン膜１６を有する。【選択図】　図１
2004127927.tif 000002
【特許請求の範囲】
【請求項１】
　特に車両のハンドルのための、共用の作動表面内で互いに近接して位置する押しボタン表面を有する複数の押しボタン切り換えユニットを備えた多機能押しボタンスイッチにおいて、
　上記押しボタン切り換えユニットの作動タペットを可動な状態で案内する共用のスイッチハウジングと；
　上記作動タペット及び上記スイッチハウジング上に装着され、二成分射出成形技術により作られ、くぼみ付き窓を備えた比較的剛直なプラスチックフレームと、当該くぼみ付き窓の上を延びるシリコーン膜と、から成るキャップと；
　を有し、上記各窓の形状及び寸法が上記押しボタン表面のうちの１つの周縁部に対応することを特徴とする多機能押しボタンスイッチ。
【請求項２】
　十字形上又は星形状の支持構造体が上記くぼみ付き窓間を延びるように上記プラスチックフレームと一部品となって形成されることを特徴とする請求項１に記載の多機能押しボタンスイッチ。
【請求項３】
　上記作動タペットが上記シリコーン膜の内表面に対して弾性的に押し付けられ、ストッパ部材によりその不作動休止位置に保持されることを特徴とする請求項１に記載の多機能押しボタンスイッチ。
【請求項４】
　上記支持構造体が上記シリコーン膜から離れる方向に面するその側部にシリコーン材料の層を有し、上記層が上記作動タペット上の対応するストッパ表面と相互作用を行う当接部を形成することを特徴とする請求項３に記載の多機能押しボタンスイッチ。
【請求項５】
　上記シリコーン膜の外表面により形成される共用の上記作動表面が全体として凸状の湾曲を有することを特徴とする請求項１に記載の多機能押しボタンスイッチ。
【請求項６】
　上記作動タペットが、上記シリコーン膜を通して感じることができ、かつ、当該シリコーン膜の内表面に接して存在する作動表面上に形成された突起又は湾入を有することを特徴とする請求項１に記載の多機能押しボタンスイッチ。
【請求項７】
　上記プラスチックフレーム及び上記シリコーン膜が材料相互間の接着により結合されることを特徴とする請求項１に記載の多機能押しボタンスイッチ。
【請求項８】
　上記シリコーン膜が上記プラスチックフレームの外周辺部の背後に係合しかつ形状的合致により結合していることを特徴とする請求項７に記載の多機能押しボタンスイッチ。
【発明の詳細な説明】
【技術分野】
【０００１】
　本発明は、特に車両のハンドルのための、共用の作動表面内で互いに近接する押しボタン表面を有する数個の押しボタン切り換えユニットを備え、また共用のスイッチハウジングを備え、このハウジング内で、押しボタン切り換えユニットの作動タペットが移動できるように形状づけられている多機能押しボタンスイッチに関する。
【背景技術】
【０００２】
　特に車両のための多機能ハンドルにおける多機能押しボタンスイッチでは、個々の押しボタンスイッチは互いに接してグループ分けされ、カバーの開口から個々に突出する。その結果、押しボタンスイッチは目で見ることなく触れることができ、作動させることができる。
【発明の開示】
【発明が解決しようとする課題】
【０００３】
しかし、このような多機能押しボタンスイッチの組立ては極めて複雑である。
【課題を解決するための手段】
【０００４】
　本発明は、既存の環境内特に車両のハンドル内に視覚的及び機能的に十分に合体することのできる多機能押しボタンスイッチを提供する。本発明に係る多機能押しボタンスイッチは二成分射出成形技術により作られ、作動タペット上及びスイッチハウジング上に装着されるキャップを有する。キャップは、押しボタン表面のうちの１つの周辺部に対応する形状及び寸法を有するカットアウト窓を備えた比較的剛直なプラスチックフレームと、窓上に張りめぐらせたシリコーン膜とを有する。このように、多機能押しボタンスイッチはシリコーン膜の外表面により形成される完全に連続する作動表面を有する。押しボタン切り換えユニットの作動タペットはシリコーン膜を通して感じることができ、シリコーン膜の外表面上に作用させた圧力により作動させることができる。シリコーン膜は好ましくはキャップの全外表面にわたって連続的に延び、ハンドル本体の表面に合体される。
【０００５】
　個々の押しボタン表面が互いに近接して位置するような多機能押しボタンスイッチの場合は、数個の押しボタンが同時に作動してしまう可能性がある。本発明の実施の形態によれば、押しボタン切り換えユニットの個々の押しボタン表面が、プラスチックフレームと一部品として形成される星形状又は十字形状の支持構造により分離される場合に、この可能性を阻止することができる。作動タペットは好ましくはシリコーン膜の内表面に対して弾性的に押し付けられるが、ストッパ部材によりその不作動休止位置に保持される。これらのストッパ部材は、作動タペット上にモールド成形され、シリコーン膜から離れる方向に面する支持構造体の表面と相互作用を行う横方向の突起により形成され、支持構造体はシリコーン材料の層で覆われる。多機能押しボタンスイッチは好ましくは全体としては凸状の作動表面を有する。
【発明を実施するための最良の形態】
【０００６】
　図１、２に符号１０で全体を示す多機能押しボタンスイッチのキャップは窓１４を切欠いて形成した比較的剛直なプラスチックで作られたフレーム１２を有し、窓の上に、シリコーンの膜１６を張りめぐらせる。シリコーン膜１６はキャップの外表面上で完全に連続する作動表面を形成する。窓１４は十字形状の支持構造体１７により互いに分離され、この支持構造体はプラスチックフレーム１２と一部品として形成される。更に、締結ドーム１９がプラスチックフレーム１２上に形成される。
【０００７】
　図３は、その上にキャップ１０を配置したスイッチハウジング２０を示す。印刷回路盤２３上に切り換えマット２２を有するベースプレート２１がスイッチハウジング２０内に挿入される。切り換えマット２２は、作動タペット２８又は３０によりそれぞれ作動される可動接点２４、２６としての接点タブを備えた成形ドーム形状を有する。多機能押しボタンスイッチの合計４つの作動タペットのうち、作動タペット２８、３０のみを図３に示す。作動タペット２８、３０はシリコーン膜１６に対して内側から押し付けられ、膜に凸状の湾曲を与える。シリコーン膜１６の内表面に接して位置するその作動表面上で、合計４つの作動タペット２８、３０のうちの２つは膜を通して感じることのできる凸状の形状を有する。他の２つの作動タペットは凸状とすることができる。
【０００８】
　作動タペット２８、３０は、支持構造体１７の下方で突出し、かつ、該作動タペットが作動されない限りシリコーン材料の層で覆われた支持構造体１７の下側に対して接触するようになる横方向の突起３２を具備する。停止ノイズはシリコーン材料により消される。
フレーム１２及びシリコーン膜１６からなるキャップ１０は二成分射出成形部品として形状づけられる。フレーム１２の外表面はシリコーン材料の連続する層によって完全に覆われる。フレーム１２の材料とシリコーン材料の層との間には、機械的応力に耐えかつ異物浸入も阻止する接合が存在する。シリコーン材料の層がフレーム１２の外周辺部を取り巻くので、機械的な応力に対する耐久度を更に増大させる確実な接続も存在する。更に、これは、作動タペット上で完全に連続する作動表面を生じさせるのみならず、視覚上魅力的な外観をも生じさせる。もし、個々の押しボタンスイッチの機能を表示する記号で、作動表面にラベル付けする場合は、剛直なフレーム１２がこれを覆うシリコーン層に関して移動しないので、高い位置精度が保証される。この場合、作動表面は、好ましくは、記号カラーで設けられ、次いで暗いカラーで被覆され；レーザービームにより、暗い被覆層から記号の形に切除する。
【図面の簡単な説明】
【０００９】
【図１】キャップの斜視図である。
【図２】キャップの内部を示す頂面図である。
【図３−１】多機能押しボタンスイッチの断面図である。
【図３−２】図３−１のＡ部分の詳細図である。
【図４】多機能押しボタンスイッチのキャップの断面図である。
【符号の説明】
【００１０】
　１０　　キャップ
　１２　　フレーム
　１４　　窓
　１６　　シリコーン膜
　１７　　支持構造体
　２０　　スイッチハウジング
　２８、３０　　作動タペット
　３２　　突起
【図１】
2004127927.tif 000003
【図２】
2004127927.tif 000004
【図３−１】
2004127927.tif 000005
【図３−２】
2004127927.tif 000006
【図４】
2004127927.tif 000007